(57)【要約】      （修正有）【課題】押しボタンが左右にグラつかず、安定して押圧でき、吸引又は注出する量を良好に制御し得るスポイトを提供する。【解決手段】一端の開口を吸引注出口とする吸上げ管１２と、吸上げの他端に設けられた操作部１６とを備えるスポイであって、操作部は、弾性体ピストン１８と押しボタン２２とを含む加圧機構２６を有し、弾性体ピストンは、吸上げ管の他端の外周を覆う筒状の本体部と、本体部の先端に一体に設けられるとともに、軸方向に離間して形成された上側拡径部及び下側拡径部を有する緩衝部とを含み、押しボタンは、吸上げ管の他端の開口を閉塞するように配置された押圧部と、押圧部の外縁に一体に設けられた円筒部を有し、押圧部方向に付勢され、円筒部の内周面は、上側拡径部及び下側拡径部の外周面に接する。【選択図】図２
0003217698.tif 000002
【実用新案登録請求の範囲】
【請求項１】
一端の開口を吸引注出口とする吸上げ管と、前記吸上げ管の他端に設けられた操作部と、を備えるスポイトであって、
前記操作部は、弾性体ピストンと押しボタンとを含む加圧機構を有し、
前記弾性体ピストンは、前記吸上げ管の前記他端の外周を覆う筒状の本体部と、前記本体部の先端に一体に設けられるとともに、軸方向に離間して形成された上側拡径部及び下側拡径部を有する緩衝部とを含み、
前記押しボタンは、前記吸上げ管の前記他端の開口を閉塞するように配置された押圧部と、前記押圧部の外縁に一体に設けられた円筒部を有し、前記押圧部方向に付勢され、前記円筒部の内周面は、前記上側拡径部及び前記下側拡径部の外周面に接する、
ことを特徴とするスポイト。
【請求項２】
前記下側拡径部は、前記吸上げ管の前記半径方向における肉厚が、前記上側拡径部より大きい、ことを特徴とする請求項１記載のスポイト。
【請求項３】
前記押しボタンは、前記押しボタンを支持するコイルスプリングと、前記コイルスプリングを支持するとともに前記弾性体ピストンに固定されたキャップとによって、前記押圧部方向に付勢されている、ことを特徴とする請求項１又は２に記載のスポイト。
【請求項４】
前記弾性体ピストンは、肉厚が徐々に増大するスカート部を前記本体部に有し、前記スカート部の基部外周に嵌合溝が設けられ、前記キャップは、前記弾性体ピストンの前記本体部が外嵌された前記吸上げ管が貫通する天部を備え、前記天部に設けられた嵌合突起と前記弾性体ピストンの前記嵌合溝とが嵌合することにより前記弾性体ピストンに固定されている、ことを特徴とする請求項３に記載のスポイト。
【請求項５】
前記押しボタンの前記円筒部は、半径方向外側に突出した肉抜き成形部を外周上部に有し、前記肉抜き成形部の下端に設けられたスプリング押え溝で前記コイルスプリングの上端を押え、前記キャップは、前記天部の嵌合突起の外側に設けられた環状溝で前記コイルスプリングの下端を受け、前記コイルスプリングは、前記弾性体ピストンの外側に配置されている、ことを特徴とする請求項３又は４に記載のスポイト。
【請求項６】
前記押しボタンの前記押圧部を上端から突出させて、前記押しボタンから前記キャップまでの側面を覆うカバーをさらに備える、ことを特徴とする請求項１〜５のいずれか１項に記載のスポイト。
【請求項７】
前記吸上げ管はガラス製である、ことを特徴とする請求項１〜６のいずれか１項に記載のスポイト。
【考案の詳細な説明】
【技術分野】
【０００１】
本考案は、容器等から内容液を吸引して注出するスポイトに関する。
【背景技術】
【０００２】
液の定量注出が可能で、注出の終期に液が飛散しないスポイトが提案されている（例えば、特許文献１）。特許文献１のスポイトは、合成樹脂製の吸引管と、この吸引管に連通した弾性帽状体とを備えている。弾性帽状体を押しボタンにより押圧することによって、液を飛散させずに定量の液を注出できることが記載されている。
【０００３】
具体的には、押しボタンの押圧の第１段階では、弾性帽状体の中央を上部から押圧し、第２段階では弾性帽状体の側部をも押圧する。第１段階で定量注出ができ、第２段階では、吸引管内の液の注出の終期における注出速度を速やかにして、液の飛散を防ぐことができるというものである。
【先行技術文献】
【特許文献】
【０００４】
【特許文献１】実開平５−１３５３６号公報
【考案の概要】
【考案が解決しようとする課題】
【０００５】
しかしながら、上記特許文献１の場合、弾性帽状体を上部から押しボタンにより押圧する構成であることから、押しボタンが左右にグラついて押し具合が安定しない。このため、吸引又は注出する液の量を必ずしも正確に制御することができない。
【０００６】
そこで本考案は、押しボタンが左右にグラつかず、安定して押圧することができ、吸引又は注出する液の量を正確に制御することができるスポイトを提供することを目的とする。
【課題を解決するための手段】
【０００７】
本考案に係るスポイトは、一端の開口を吸引注出口とする吸上げ管と、前記吸上げ管の他端に設けられた操作部とを備えるスポイトであって、前記操作部は、弾性体ピストンと押しボタンとを含む加圧機構を有し、前記弾性体ピストンは、前記吸上げ管の前記他端の外周を覆う筒状の本体部と、前記本体部の先端に一体に設けられるとともに、軸方向に離間して形成された上側拡径部及び下側拡径部を有する緩衝部とを含み、前記押しボタンは、前記吸上げ管の前記他端の開口を閉塞するように配置された押圧部と、前記押圧部の外縁に一体に設けられた円筒部を有し、前記押圧部方向に付勢され、前記円筒部の内周面は、前記上側拡径部及び前記下側拡径部の外周面に接することを特徴とする。
【考案の効果】
【０００８】
本考案によれば、スポイトは、一端の開口を吸引注出口とする吸上げ管を備え、吸上げ管の他端に設けられた操作部は、特定の弾性体ピストンと押しボタンとを含む加圧機構を有している。こうした加圧機構を備えていることから、スポイトは、吸引又は注出する量を良好に制御することができる。
【０００９】
加圧機構における弾性体ピストンは、吸上げ管の他端の外周を覆う筒状の本体部と、本体部の先端に一体に設けられた緩衝部とを有している。弾性体ピストンは、加圧機構におけるピストンとして作用するのみならず、吸上げ管の他端を破損から保護する。こうした弾性体ピストンによって、ガラス製の吸上げ管を含む、あらゆる素材の吸上げ管を使用することが可能となったものである。
【図面の簡単な説明】
【００１０】
【図１】本実施形態に係るスポイトの全体構成を示す側面図である。
【図２】本実施形態に係るスポイトの縦断面における全体構成を示す図である。
【図３】本実施形態に係るスポイトにおける操作部の分解図である。
【図４】弾性体ピストンを説明する図であり、図４Ａは全体図、図４Ｂは緩衝部の拡大図である。
【図５】キャップを説明する図である。
【図６】押しボタンを説明する図である。
【図７】本実施形態に係るスポイトの押しボタンを押し下げた状態を示す図である。
【考案を実施するための形態】
【００１１】
以下、図面を参照して本考案の実施形態について詳細に説明する。
【００１２】
（全体構成）
図１に示すスポイト１０は、一端の開口を吸引注出口１４とする吸上げ管１２と、吸上げ管１２の他端に設けられた操作部１６とを備える。操作部１６は、側面がカバー２８で覆われ、カバー２８の上端から押しボタン２２が突出している。スポイト１０においては、押しボタン２２が押圧されることにより、吸引注出口１４を介して内容液の吸引・注出が行われる。本実施形態における吸上げ管１２は、ガラス製としている。
【００１３】
操作部１６は、図２に示すように、吸上げ管１２の他端に接して配置された弾性体ピストン１８と、該弾性体ピストン１８の下部に固定されたキャップ２０と、該弾性体ピストン１８の上部の外周面と摺動可能な内周面を有する円筒部を含む押しボタン２２と、該押しボタン２２を該キャップ２０上で支持するコイルスプリング２４とを備えている。スポイト１０は、キャップ２０によって所定のボトルの口部に取り付け可能な構造である。本実施形態における加圧機構２６は、弾性体ピストン１８と押しボタン２２とを含む。押しボタン２２は、コイルスプリング２４とキャップ２０とによって、上向きに付勢されている。
【００１４】
図３には、操作部１６の分解図を示す。弾性体ピストン１８は、ＮＢＲやシリコンゴム、ＥＰＤMといったゴム類や、ＬＤＰＥやＬＬＤＰＥといった軟質性プラスチックにより構成されている。キャップ２０、押しボタン２２、及びカバー２８は、プラスチックなどの合成樹脂で構成されている。コイルスプリング２４としては、ステンレス等からなる一般的なスプリングを用いることができる。
【００１５】
次に、図４を参照して、弾性体ピストン１８について説明する。図４Ａに示すように、弾性体ピストン１８は、本体部１８ａと、本体部１８ａの先端に一体に設けられた緩衝部１８ｂとを含む。本体部１８ａは筒状であり、吸上げ管１２の他端の外周を覆う（図２）。本体部１８ａは、肉厚が半径方向に徐々に増大するスカート部１８ｄを有する。このスカート部１８ｄの基部の外周には、キャップ２０を固定するための嵌合溝１８ｃが設けられている。スカート部１８ｄは、嵌合溝１８ｃに固定されたキャップ２０の抜けを防止する。嵌合溝１８ｃの下部は、スポイト１０をボトル（図示しない）に取り付けた際に、ボトル口部のパッキンとして機能するフランジ１８ｅを構成している。このように本実施形態においては、弾性体ピストン１８の本体部１８ａの下端にパッキンが一体に設けられている。
【００１６】
弾性体ピストン１８においては、緩衝部１８ｂが、本体部１８ａの先端に一体に設けられている。この緩衝部１８ｂの外径ｄｐは、追って説明する押しボタン２２の内径ｄｂ（図６参照）より若干大きく形成される。
【００１７】
図４Ｂの拡大図に示すように、弾性体ピストン１８の緩衝部１８ｂは、離間して形成された上側拡径部１８ｂ１と下側拡径部１８ｂ２とを有している。弾性体ピストン１８の緩衝部１８ｂの内周面１８ｂｉｎｎｅｒは、湾曲した形状である。図示するように、下側拡径部１８ｂ２は、吸上げ管１２の半径方向における肉厚ｔ２が、上側拡径部１８ｂ１における肉厚ｔ１より大きい。上側拡径部１８ｂ１と下側拡径部１８ｂ２の間には、半径方向内側へゆるやかに湾曲した凹部が形成されている。
【００１８】
図４Ｂには示していないが、押しボタン２２は、円筒部２２ｂの内周面２２ｂ１（図６）が、弾性体ピストン１８における緩衝部１８ｂの上側拡径部１８ｂ１及び下側拡径部１８ｂ２の外周面と摺動する。
【００１９】
弾性体ピストン１８の下部に固定されるキャップ２０は、図５に示すように、天部２０ａに開口２０ｄが設けられ、この開口２０ｄの内周に嵌合突起２０ｂを有している。キャップ２０の天部２０ａの開口２０ｄには、弾性体ピストン１８の本体部１８ａで外周が覆われた吸上げ管１２が貫通する。キャップ２０の嵌合突起２０ｂが、弾性体ピストン１８における本体部１８ａのスカート部１８ｄの基部外周の嵌合溝１８ｃに嵌合することによって、キャップ２０が弾性体ピストン１８に固定される（図２）。キャップ２０が弾性体ピストン１８に固定されると、弾性体ピストン１８の本体部１８ａの下端のフランジ１８ｅは、キャップ２０の天部２０ａの下面で、ボトル口部のパッキンとして機能する。
【００２０】
また、キャップ２０の天部２０ａにおいては、嵌合突起２０ｂの外側に環状溝２０ｃが設けられている。環状溝２０ｃは、コイルスプリング２４の下端を支持する。
【００２１】
押しボタン２２は、図６に示すように、押圧部２２ａと、この押圧部２２ａの外縁に一体に設けられた円筒部２２ｂとを含む。押圧部２２ａは、吸上げ管１２の他端の開口を閉塞するように配置される。本実施形態のスポイト１０においては、押しボタン２２は、コイルスプリング２４とキャップ２０とによって押圧部２２ａ方向（上向き）に付勢される。円筒部２２ｂの内周面２２ｂ１は、弾性体ピストン１８における緩衝部１８ｂの上側拡径部１８ｂ１及び下側拡径部１８ｂ２の外周面と摺動する。押しボタン２２の円筒部２２ｂの内径ｄｂは、弾性体ピストン１８の緩衝部１８ｂの外径ｄｐより若干小さい。
【００２２】
押しボタン２２の円筒部２２ｂは、半径方向外側に突出した肉抜き形成部２２ｃを外周上部に有する。肉抜き形成部２２ｃの下端には、スプリング押え溝２２ｄが設けられている。押しボタン２２は、この肉抜き形成部２２ｃのスプリング押え溝２２ｄで、コイルスプリング２４の上端を押えつつ、押圧部２２ａ及び円筒部２２ｂで弾性体ピストン１８の上部を覆って配置される（図２）。コイルスプリング２４は、押しボタン２２の円筒部２２ｂの半径方向外側に配置されて、上端で押しボタン２２を支持する。こうしてコイルスプリング２４は、弾性体ピストン１８の外側に配置される。
【００２３】
（動作及び効果）
上記のように構成されたスポイト１０は、操作部１６における押しボタン２２の押圧部２２ａを押圧することによって、ボトル（図示しない）の内容液の吸引・注出を行うことができる。
【００２４】
内容液を吸引するためには、吸上げ管１２の吸引注出口１４を内溶液に浸す前に、押しボタン２２の押圧部２２ａを押圧する。これによって、弾性体ピストン１８の緩衝部１８ｂにおける上側拡径部１８ｂ１及び下側拡径部１８ｂ２の外周面と、押しボタン２２の円筒部２２ｂの内周面２２ｂ１とが摺動する。上述したとおり、弾性体ピストン１８における緩衝部１８ｂの外径ｄｐは、押しボタン２２の円筒部２２ｂの内径ｄｂより若干大きい。このため、押しボタン２２が下側拡径部１８ｂ２方向（矢印Ａ方向）に摺動すると、弾性体ピストン１８の緩衝部１８ｂの上側拡径部１８ｂ１は、円筒部２２ｂの内周面２２ｂ１との間に矢印Ａ方向の摩擦力が生じる。この摩擦力によって上側拡径部１８ｂ１には、矢印Ｂで表される半径方向外側に力が働く。この力によって上側拡径部１８ｂ１は、円筒部２２ｂの内周面２２ｂ１に押し付けられる（図４Ｂ）。
【００２５】
このようにして、緩衝部１８ｂにおける上側拡径部１８ｂ１及び下側拡径部１８ｂ２の外周面と押しボタン２２の円筒部２２ｂの内周面２２ｂ１との接触は保たれているので、押しボタン２２が矢印Ａ方向に摺動する際、押しボタン２２と弾性体ピストン１８との間の密閉性が損なわれることはない。弾性体ピストン１８の緩衝部１８ｂにおける上側拡径部１８ｂ１は、加圧機構２６における密閉性を維持する作用を有する。こうして、押しボタン２２の押圧部２２ａを押圧することによって、吸上げ管１２内の空気の一部が吸引注出口１４から押し出される。
【００２６】
弾性体ピストン１８における緩衝部１８ｂの下側拡径部１８ｂ２は、吸上げ管１２の半径方向における肉厚ｔ２が上側拡径部１８ｂ１における肉厚ｔ１より大きい。このため、押しボタン２２が矢印Ａ方向に摺動しても、下側拡径部１８ｂ２は押しボタン２２を同軸上に保持することができる。下側拡径部１８ｂ２は、吸上げ管１２の他端で吸上げ管１２を固定することもできる。吸上げ管１２は弾性体ピストン１８の本体部１８ａに安定して固定されるので、押しボタン２２が押圧された際、吸上げ管１２のガタツキを防止することができる。
【００２７】
本実施形態のスポイト１０は、押しボタン２２の押し具合も良好である。上述したとおり、操作部１６の加圧機構２６においては、押しボタン２２は、コイルスプリング２４とキャップ２０とによって上向き（押圧部２２ａ方向）に付勢されている。コイルスプリング２４の上端は、押しボタン２２の外周上部に設けられた肉抜き形成部２２ｃの下端のスプリング押え溝２２ｄで押えられている。押しボタン２２からの押圧力は、安定してコイルスプリング２４に伝達されるので、押しボタン２２をグラつくことなく安定に押し下げることができる。一方、コイルスプリング２４の下端は、キャップ２０の天部２０ａに設けられた環状溝２０ｃに嵌め込まれていることから、コイルスプリング２４は、押しボタン２２を安定して支持することができる。このような構成に起因して、押しボタン２２の押し具合は良好となる。押しボタン２２の円筒部２２ｂの外周上部に肉抜き形成部２２ｃが設けられていることもまた、押しボタン２２の押し具合の安定性が高められる一因である。
【００２８】
押しボタン２２が完全に押し下げられると、押しボタン２２の押圧部２２ａの上面は、図７に示すようにカバー２８の上端面２８ａと一致する。押しボタン２２が完全に押し下げられた場合でも、本実施形態のスポイト１０においては、弾性体ピストン１８に緩衝部１８ｂが設けられていることから、押しボタン２２が吸上げ管１２に直接接して押圧することはない。押しボタン２２の押圧によって吸上げ管１２がガラス製であっても、破損するおそれは、極めて小さいものとなる。
【００２９】
本実施形態のスポイト１０においては、キャップ２０の天面２０ａに設けられた嵌合突起２０ｂが、弾性体ピストン１８の本体部１８ａの基部に設けられた嵌合溝１８ｃに嵌合することによって、キャップ２０が弾性体ピストン１８に固定されている。弾性体ピストン１８が存在しているので、キャップ２０は、吸上げ管１２に直接接することはない。このため、キャップ２０との接触により、特に吸上げ管１２がガラス製であったとしても、吸上げ管１２が破損するおそれも低減される。
【００３０】
弾性体ピストン１８は、加圧機構２６におけるピストンとして作用するのに加えて、吸上げ管１２を破損から保護する。押し具合の良好な押しボタン２２を有する加圧機構２６を備えているので、本実施形態のスポイト１０は、吸引する内容液の量を良好に制御することができる。
【００３１】
本実施形態のスポイト１０を用いて内容液を吸引するには、押しボタン２２の押圧部２２ａを押圧しつつ、吸上げ管１２の吸引注出口１４を内容液に浸して押圧を解除する。押しボタン２２は、上向きの付勢力を受けて上昇し、これによって、吸上げ管１２内への内容液の吸引が開始される。押しボタン２２の押圧部２２ａを再度押圧することにより、吸上げ管１２内への内容液の吸引を停止することができる。押しボタン２２の押圧部２２ａが上向きの付勢力によって押圧前の位置まで戻った際にも、吸上げ管１２内への内容液の吸引が停止する。こうして、所定量の内容液が吸上げ管１２内に収容される。
【００３２】
吸上げ管１２内に収容された内容液は、押しボタン２２の押圧部２２ａを押圧することによって、吸引注出口１４から注出することができる。内容液を吸引する場合と同様、押圧部２２ａの押圧によって、押しボタン２２は、円筒部２２ｂの内周面２２ｂ１が、弾性体ピストン１８における緩衝部１８の上側拡径部１８ｂ１及び下側拡径部１８ｂ２の外周面と摺動する。
【００３３】
すでに説明したとおり、弾性体ピストン１８は、加圧機構２６におけるピストンとして作用するのに加えて、吸上げ管１２を破損から保護する。押し具合の良好な押しボタン２２を有する加圧機構２６を備えているので、本実施形態のスポイト１０は、注出する内容液の量を良好に制御することができる。
【００３４】
本実施形態においては、上述したような弾性体ピストン１８を備えているので、吸上げ管１２としてガラス製のものを用いることが可能となった。これによって、内容液の種類によらず適用できるスポイトとすることが可能となる。本実施形態のスポイト１０は、ガラス製の吸上げ管１２が用いられているので、吸上げ管が合成樹脂製の場合よりも高級感が増し、付加価値（商品価値）を向上させることもできる。なお、吸上げ管１２は、ガラス製以外の素材で構成されていても良いことは、言うまでもない。
【００３５】
また、本実施形態のスポイト１０の加圧機構２６においては、弾性体ピストン１８の緩衝部１８ｂの上側拡径部１８ｂ１によって密閉性が確保されている。このような弾性体ピストン１８の外側にコイルスプリング２４が配置されているので、内容液がコイルスプリング２４に接触するのを防止することができる。
【００３６】
（変形例）
本考案は上記実施形態に限定されるものではなく、本考案の趣旨の範囲内で適宜変更することが可能である。
【００３７】
上記実施形態においては、弾性体ピストン１８の緩衝部１８ｂは、吸上げ管１２の半径方向における下側拡径部１８ｂ２の肉厚ｔ２を上側拡径部１８ｂ１の肉厚ｔ１より大きくし、内周面１８ｂｉｎｎｅｒが湾曲した形状としたが、緩衝部１８ｂの形状はこれに限定されない。弾性体ピストン１８の緩衝部１８ｂは、押しボタン２２の円筒部２２ｂの内周面２２ｂ１が接して摺動する上側拡径部１８ｂ１と下側拡径部１８ｂ２とを備え、これら拡径部１８ｂ１，１８ｂ２で凹部が挟まれた外周に備えていれば、任意の形状とすることができる。また、弾性体ピストン１８は、ＮＢＲやシリコンゴム、ＥＰＤＭといったゴム類や、ＬＤＰＥやＬＬＤＰＥといった軟質性プラスチックを用いて形成してもよい。
【００３８】
押しボタン２２は、上向き（押圧部２２ａ方向）に付勢されていればよく、上記実施形態の構成に限定されない。例えば、コイルスプリング２４は、弾性体ピストン１８の上で押しボタン２２の円筒部２２ｂの内側に配置してもよい。コイルスプリング２４を弾性体ピストン１８の上に配置した場合には、より効率よく押しボタン２２を上向きに付勢することができる。この場合には、スプリング押え溝は、押しボタン２２の押圧部２２ａの下面に設けられる。押しボタン２２の円筒部２２ｂの外周上部には、肉抜き成形部２２ｃを設ける必要はない。
【００３９】
さらに、キャップ２０の上で押しボタン２２を支持して、キャップ２０とともに押しボタン２２を上向きに付勢することができる部材であれば、コイルスプリング２４に限定されない。例えばステンレス等を、コイルスプリングの代わりに用いてもよい。
【符号の説明】
【００４０】
１０    スポイト
１２    吸上げ管
１４    吸引注出口
１６    操作部
１８    弾性体ピストン
２０    キャップ
２２    押しボタン
２４    コイルスプリング
２６    加圧機構
２８    カバー
【図１】
0003217698.tif 000003
【図２】
0003217698.tif 000004
【図３】
0003217698.tif 000005
【図４】
0003217698.tif 000006
【図５】
0003217698.tif 000007
【図６】
0003217698.tif 000008
【図７】
0003217698.tif 000009
【手続補正書】
【提出日】平成30年6月25日(2018.6.25)
【手続補正１】
【補正対象書類名】実用新案登録請求の範囲
【補正対象項目名】全文
【補正方法】変更
【補正の内容】
【実用新案登録請求の範囲】
【請求項１】
一端の開口を吸引注出口とする吸上げ管と、前記吸上げ管の他端に設けられた操作部と、を備えるスポイトであって、
前記操作部は、弾性体ピストンと押しボタンとを含む加圧機構を有し、
前記弾性体ピストンは、前記吸上げ管の前記他端の外周を覆う筒状の本体部と、前記本体部の先端に一体に設けられるとともに、軸方向に離間して形成された上側拡径部及び下側拡径部を有する緩衝部とを含み、
前記押しボタンは、前記吸上げ管の前記他端の開口を閉塞するように配置された押圧部と、前記押圧部の外縁に一体に設けられた円筒部を有し、前記押圧部方向に付勢され、前記円筒部の内周面は、前記上側拡径部及び前記下側拡径部の外周面に接する、
ことを特徴とするスポイト。
【請求項２】
前記下側拡径部は、前記吸上げ管の半径方向における肉厚が、前記上側拡径部より大きい、ことを特徴とする請求項１記載のスポイト。
【請求項３】
前記押しボタンは、前記押しボタンを支持するコイルスプリングと、前記コイルスプリングを支持するとともに前記弾性体ピストンに固定されたキャップとによって、前記押圧部方向に付勢されている、ことを特徴とする請求項１又は２に記載のスポイト。
【請求項４】
前記弾性体ピストンは、肉厚が徐々に増大するスカート部を前記本体部に有し、前記スカート部の基部外周に嵌合溝が設けられ、前記キャップは、前記弾性体ピストンの前記本体部が外嵌された前記吸上げ管が貫通する天部を備え、前記天部に設けられた嵌合突起と前記弾性体ピストンの前記嵌合溝とが嵌合することにより前記弾性体ピストンに固定されている、ことを特徴とする請求項３に記載のスポイト。
【請求項５】
前記押しボタンの前記円筒部は、半径方向外側に突出した肉抜き成形部を外周上部に有し、前記肉抜き成形部の下端に設けられたスプリング押え溝で前記コイルスプリングの上端を押え、前記キャップの天部の嵌合突起外側に設けられた環状溝で前記コイルスプリングの下端を受け、前記コイルスプリングは、前記弾性体ピストンの外側に配置されている、ことを特徴とする請求項３又は４に記載のスポイト。
【請求項６】
前記押しボタンの前記押圧部を上端から突出させて、前記押しボタンから前記キャップまでの側面を覆うカバーをさらに備える、ことを特徴とする請求項３又は４に記載のスポイト。
【請求項７】
前記吸上げ管はガラス製である、ことを特徴とする請求項１〜６のいずれか１項に記載のスポイト。
【手続補正２】
【補正対象書類名】図面
【補正対象項目名】全図
【補正方法】変更
【補正の内容】
【図１】
0003217698.tif 000010
【図２】
0003217698.tif 000011
【図３】
0003217698.tif 000012
【図４】
0003217698.tif 000013
【図５】
0003217698.tif 000014
【図６】
0003217698.tif 000015
【図７】
0003217698.tif 000016